(57)【要約】【課題】耐衝撃性が比較的低い部品を衝撃から保護すること。【解決手段】端末装置は、第１部品を支持する第１支持部材と、第１支持部材とは別体であり、前記第１部品よりも耐衝撃性が低い第２部品を保持する第２支持部材と、第１支持部材に設けられ、第１方向で前記第２支持部材よりも外方に延出する保護部とを含み、保護部における前記第２支持部材よりも外方に延出する部位は、前記第１方向に視て前記第２支持部材に重ならない領域に延在する。【選択図】図１
2018029132.tif 000002
【特許請求の範囲】
【請求項１】
第１部品を支持する第１支持部材と、
前記第１支持部材とは別体であり、前記第１部品よりも耐衝撃性が低い第２部品を保持する第２支持部材と、
前記第１支持部材に設けられ、第１方向で前記第２支持部材よりも外方に延出する保護部とを含み、
前記保護部における前記第２支持部材よりも外方に延出する部位は、前記第１方向に視て前記第２支持部材に重ならない領域に延在する、端末装置。
【請求項２】
前記第２部品は、表示装置及びタッチパネルのうちの少なくともいずれか１つであり、
前記第２支持部材は、内部空間を形成する筐体のフロントカバーであり、
前記第１支持部材は、前記内部空間に配置される、請求項１に記載の端末装置。
【請求項３】
前記第２支持部材は、切欠きを有する側面枠を有し、
前記保護部は、前記切欠きを介して前記第１方向で前記側面枠よりも内方から前記側面枠よりも外方に延出する、請求項１又は２に記載の端末装置。
【請求項４】
前記側面枠は、当該端末装置における角部に対応する位置に前記切欠きを有する、請求項３に記載の端末装置。
【請求項５】
前記保護部は、前記第１方向で前記第１支持部材に対して第１距離の隙間を介して対向する、請求項１〜４のうちのいずれか１項に記載の端末装置。
【請求項６】
前記保護部及び前記第１支持部材は、それぞれ、前記第１方向で前記第１距離の隙間を介して対向する湾曲面を含む、請求項５に記載の端末装置。
【請求項７】
前記保護部は、前記第１方向で前記第２支持部材よりも外方に第２距離だけ延出し、前記第２距離は、前記第１距離よりも大きい、請求項５又は６に記載の端末装置。
【請求項８】
前記第２支持部材は、ネジと結合する雌ネジ部を有し、
前記保護部は、前記ネジが通る貫通穴を有し、前記貫通穴は、前記ネジの軸部に対して前記第１方向で外方に前記第１距離よりも大きい第３距離の隙間を有する、請求項５〜７のうちのいずれか１項に記載の端末装置。
【請求項９】
前記第１方向は、当該端末装置の角部の側面に対して垂直な方向である、請求項１〜７のうちのいずれか１項に記載の端末装置。
【請求項１０】
前記保護部は、樹脂材料により形成される、請求項１〜９のうちのいずれか１項に記載の端末装置。
【発明の詳細な説明】
【技術分野】
【０００１】
本開示は、端末装置に関する。
【背景技術】
【０００２】
電子機器の筐体を落下などの衝撃から保護する電子機器筐体の緩衝構造として、電子機器の四隅にボスを設け、該ボスに取り外し可能な緩衝部材を嵌合することで、電子機器の四隅に加わり得る衝撃を緩衝部材により緩衝する技術が知られている。
【先行技術文献】
【特許文献】
【０００３】
【特許文献１】特開2010‐067730号公報
【発明の概要】
【発明が解決しようとする課題】
【０００４】
しかしながら、上記のような従来技術では、耐衝撃性が比較的低い部品（例えばガラスを含む部品であり、液晶表示装置など）を、落下などの衝撃から保護することが難しい。これは、上記のような従来技術では、衝撃が加わる方向に視て緩衝部材が上筐体に重なる領域に配置されており、緩衝部材が上筐体に当接して上筐体に衝撃が伝わりやすい構造であるためである。
【０００５】
そこで、１つの側面では、本発明は、耐衝撃性が比較的低い部品を衝撃から保護することを目的とする。
【課題を解決するための手段】
【０００６】
１つの側面では、第１部品を支持する第１支持部材と、
前記第１支持部材とは別体であり、前記第１部品よりも耐衝撃性が低い第２部品を保持する第２支持部材と、
前記第１支持部材に設けられ、第１方向で前記第２支持部材よりも外方に延出する保護部とを含み、
前記保護部における前記第２支持部材よりも外方に延出する部位は、前記第１方向に視て前記第２支持部材に重ならない領域に延在する、端末装置が提供される。
【発明の効果】
【０００７】
１つの側面では、本発明によれば、耐衝撃性が比較的低い部品を衝撃から保護することが可能となる。
【図面の簡単な説明】
【０００８】
【図１】実施例１による端末装置の外観を示す斜視図である。
【図２】図１のＰ部の拡大図である。
【図３】フロント側からの端末装置の分解斜視図である。
【図４】リア側からの端末装置の分解斜視図である。
【図５】リア側から視た端末装置の一部の分解斜視図である。
【図６】端末装置の角部の内部構造の説明する一部切欠き斜視断面図である。
【図７Ａ】フロント側からの保護部の斜視図である。
【図７Ｂ】リア側からの保護部の斜視図である。
【図８】保護部の３面図である。
【図９】保護部の取り付け方法の説明図である。
【図１０】保護部の取り付け方法の説明図である。
【図１１】保護部の取り付け方法の説明図である。
【図１２】ノミナル状態における保護部とインナカバー及びフロントカバーとの関係の説明図である。
【図１３Ａ】保護部の機能の説明図である。
【図１３Ｂ】衝撃が加わった状態における保護部とインナカバー及びフロントカバーとの関係の説明図である。
【図１４Ａ】ノミナル状態における衝撃方向に沿った保護部及びインナカバー等の概略断面図である。
【図１４Ｂ】衝撃が加わった状態における衝撃方向に沿った保護部及びインナカバー等の概略断面図である。
【図１５】実施例２による端末装置の分解斜視図である。
【図１６】実施例２による端末装置の一部の分解斜視図である。
【図１７】図１６のＱ部の拡大図である。
【図１８】図１７からネジを取り外した状態の図である。
【図１９】図１６のＱ部を拡大した上面図である。
【発明を実施するための形態】
【０００９】
以下、添付図面を参照しながら各実施例について詳細に説明する。
【００１０】
［実施例１］
図１は、実施例１による端末装置１の外観を示す斜視図である。図２は、図１のP部の拡大図である。図３乃至図４は、端末装置１の分解斜視図であり、図３は、フロント側からの斜視図であり、図４は、リア側からの斜視図である。図５は、リア側から視た端末装置１の一部の分解斜視図であり、バックカバー５０が取り外された状態での斜視図である。図６は、端末装置１の角部の内部構造の説明する一部切欠き斜視断面図である。尚、図３及び図４において、細かい部材（ねじやキャップ等）等については一部の図示が省略されている。
【００１１】
以下では、説明上、端末装置１の長手方向を、Ｙ方向と定義し、直交する３軸であるＸ軸，Ｙ軸，及びＺ軸を定義する。ここでは、端末装置１のＬＣＤ（Liquid  Crystal  Display）ガラス１２の表示面がＸＹ平面に対応し、Ｚ軸のＺ１側が端末装置１のフロント側に対応し、Ｚ２側がリア（背面）側に対応する。また、側面は、Ｚ方向に延在する面を指し、側方とは、ＸＹ平面内に延在する方向を指す。
【００１２】
端末装置１は、携帯型の電子機器であるが、ラップトップのような固定型の電子機器であってもよい。端末装置１は、携帯電話（スマートフォンを含む）、ＰＤＡ(personal  digital  assistant)、タブレットのような携帯型情報端末、携帯ゲーム機、携帯音楽プレーヤ等であってよい。
【００１３】
端末装置１は、タッチパネル１１と、ＬＣＤガラス１２と、フロントカバー２０（第２支持部材の一例）と、バックカバー５０と、インナカバー６０（第１支持部材の一例）と、保護部８０とを含む。フロントカバー２０及びバックカバー５０は、端末装置１の筐体を形成し、内部空間を形成する。以下では、「外側／内側」や「外方／内方」という用語は、端末装置１の筐体の内部空間を基準とする。具体的には、外側／外方は、端末装置１の筐体の内部空間から離れる側／方向を指し、内側／内方は、端末装置１の筐体の内部空間に近づく側／方向を指す。
【００１４】
タッチパネル１１は、端末装置１の操作部として機能する。タッチパネル１１は、例えば、静電式であってもよいし、感圧式であってもよい。タッチパネル１１は、端末装置１のフロント側で、ＸＹ平面内に延在する。
【００１５】
ＬＣＤガラス１２は、タッチパネル１１と共に、端末装置１のフロント側で、ＸＹ平面内に延在する。ＬＣＤガラス１２は、タッチパネル１１の背面を覆う態様で設けられる。尚、ＬＣＤガラス１２とタッチパネル１１は、ＬＣＤガラス１２のフロント側にタッチパネル１１の層を含む多層構造体により実現されてもよい。
【００１６】
フロントカバー２０は、例えば板金又は樹脂により形成される。フロントカバー２０は、ＸＹ平面内に延在し、略矩形の外形を有する。フロントカバー２０は、ＬＣＤガラス１２の背面側に設けられ、ＬＣＤガラス１２及びタッチパネル１１を保持する。フロントカバー２０は、例えば、ＬＣＤガラス１２の側面及び背面を覆う形状を有する（図３参照）。
【００１７】
フロントカバー２０は、リア側の表面（ＸＹ平面内に延在する表面）に、雌ネジが切られたボス２２（雌ネジ部の一例）を備える。ボス２２は、後述の保護部８０の取付位置に対応して、フロントカバー２０の４隅の角部のそれぞれに設けられる。ボス２２には、ネジ２４が結合される。ネジ２４及びボス２２は、フロントカバー２０、インナカバー６０、及び保護部８０を結合させる締結部となる。
【００１８】
フロントカバー２０は、４方に側面枠２２０を含む。側面枠２２０は、図１に示すように、フロント面２２１からＺ方向でＺ２側に延在する。側面枠２２０は、フロントカバー２０のリア側の表面（ＸＹ平面内に延在する表面）の４辺に沿った縁部に立設される。側面枠２２０のＺ方向の延在幅は、バックカバー５０の厚みと合わせて、端末装置１の厚み（Ｚ方向の幅）を形成する。尚、側面枠２２０の外表面は、端末装置１の側面における意匠面（外観として露出する表面）となり、フロント面２２１は、タッチパネル１１と共に、端末装置１のフロント面における意匠面となる。尚、側面枠２２０の外表面は、４隅の角部において湾曲される（いわゆるピン角にならないように丸み、即ちアールＲが付けられる）。
【００１９】
側面枠２２０は、ＸＹ平面内に延在する空間（筐体の内部空間）を囲繞する。空間２２４には、後述のインナカバー６０が設けられる。
【００２０】
側面枠２２０は、４隅の角部のそれぞれに切欠き２２２を有する。切欠き２２２は、図１及び図２に示すように、側面枠２２０におけるＺ方向の一部に形成されてよい。図１及び図２では、切欠き２２２は、側面枠２２０におけるＺ方向のＺ２側に形成されているが、Ｚ方向の中央のみに形成されてもよいし、Ｚ１側に形成されてもよい。
【００２１】
バックカバー５０は、端末装置１の背面における意匠面となる。バックカバー５０は、例えば樹脂により形成される。尚、実施例１では、整備性を高めるために、バックカバー５０は、インナカバー６０とは別体であるが、バックカバー５０は、インナカバー６０と一体に形成されてもよい。
【００２２】
インナカバー６０は、フロントカバー２０とは別体の部材である。インナカバー６０は、フロントカバー２０に対してリア側に設けられる。インナカバー６０は、上述のように、筐体の内部空間に配置される。実施例１では、インナカバー６０は、全体が筐体の内部空間内に配置される（即ち端末装置１の外部に露出する部位を有さない）。インナカバー６０は、例えば板金又は樹脂により形成される。インナカバー６０は、図３に示すように、ＸＹ平面内に延在する表面（部品搭載表面）６６を有し、フロントカバー２０よりも若干小さい略矩形の外形を有する。
【００２３】
インナカバー６０は、後述の保護部８０の取付位置に対応して、図４に示すように、４隅の角部のそれぞれに、保護部８０が取り付けられる取付部６２と、当接面６４（後出の図９参照）とを含む。取付部６２は、図４（及び後出の図９）に示すように、座面６２１と、ネジ挿通穴６２２とを含む。座面６２１は、保護部８０の座面であり、ネジ挿通穴６２２は、ネジ２４が挿通される穴である。ネジ挿通穴６２２は、ネジ２４の軸部の径よりも若干大きい径を有する。ネジ挿通穴６２２は、中心軸（Ｚ方向）がボス２２と同軸になる位置に形成される。当接面６４については、後出の図９を参照して後述する。
【００２４】
インナカバー６０は、図３に示すように、端末装置１の各種内部構成要素を保持する。例えば、インナカバー６０は、基板７０（図３参照）やバッテリ７２等を保持する。基板７０には、端末装置１の各種機能を実現するための各種電子回路（図示せず）が設けられる。電子回路は、例えばチップの形態の電子部品に含まれる電子回路や、基板に形成される配線パターンを含んでよい。
【００２５】
ここで、インナカバー６０が保持する各部品（第１部品の一例）は、フロントカバー２０が保持する部品であるタッチパネル１１やＬＣＤガラス１２（第２部品の一例）に比べて、耐衝撃性が高い。即ち、タッチパネル１１やＬＣＤガラス１２は、衝撃を受けることで比較的容易に破損しやすいが、基板７０やバッテリ７２は、衝撃を受けても破損し難い（比較的頑強である）。
【００２６】
保護部８０は、図４に示すように、インナカバー６０に設けられる。保護部８０は、後に詳説するように、端末装置１の落下などで加わり得る端末装置１への衝撃から、端末装置１を保護する機能を有する。端末装置１の構成要素の中には、耐衝撃性が比較的低い部品があり、その代表例がＬＣＤガラス１２やタッチパネル１１である。実施例１による保護部８０は、後に詳説するように、ＬＣＤガラス１２やタッチパネル１１に伝わる衝撃を低減する機能を有する。
【００２７】
実施例１では、一例として、保護部８０は、インナカバー６０とは別体であり、インナカバー６０に取り付けられる。具体的には、保護部８０は、図５に示すように、ネジ２４によりインナカバー６０に締結される。取り付け方法の更なる詳細については、図９乃至図１１を参照して後述する。
【００２８】
保護部８０は、図１に示すように、好ましくは、端末装置１の４隅の角部のそれぞれに、端末装置１の側面から外方に突出する態様で設けられる。実施例１では、一例として、保護部８０は、端末装置１の４隅の角部のそれぞれに形成される側面枠２２０の切欠き２２２に対応して、４つ設けられる。保護部８０は、図２及び図６に示すように、フロントカバー２０の側面枠２２０の切欠き２２２を介して側面枠２２０よりも内方から側面枠２２０よりも外方（側方の外側）に延出する。従って、保護部８０は、端末装置１の４隅の角部のそれぞれにおいて、図２に示すように、フロントカバー２０よりも外方（側方の外側）に延出する。以下では、保護部８０におけるフロントカバー２０よりも外方に延出する部位を、「突出部位８２」と称する。
【００２９】
保護部８０の突出部位８２は、側面視で、フロントカバー２０に重ならない領域に延在する。即ち、ＸＹ平面内における保護部８０の突出部位８２よりも内側には、フロントカバー２０が（近接して）延在することはない。実施例１では、一例として、保護部８０の突出部位８２は、側面視で、側面枠２２０の切欠き２２２に対応した外形であって、切欠き２２２よりも若干小さい外形を有する（図２及び図６参照）。これにより、突出部位８２に衝撃が加わったときに、突出部位８２が内方に変位しても、突出部位８２がフロントカバー２０の側面枠２２０に当たることが無く、フロントカバー２０への衝撃の伝達を低減できる。この点は、図１３Ａ乃至図１４Ｂ等を参照して後述する。
【００３０】
次に、図７Ａ乃至図１２を参照して、保護部８０、及び保護部８０に関連する構造の更なる詳細について説明する。
【００３１】
図７Ａは、フロント側からの保護部８０の斜視図であり、図７Ｂは、リア側からの保護部８０の斜視図である。図８は、保護部８０の３面図である。図９乃至図１１は、保護部８０の取り付け方法の説明図である。図１２は、ノミナル状態（設計中立状態）における保護部８０とインナカバー６０及びフロントカバー２０との関係の説明図であり、バックカバー５０を取り外した状態でリア側から視た端末装置１の角部の上面図である。
【００３２】
保護部８０は、図８に示すように、突出部位８２と、基部８３と、ネジ挿通穴８４とを含む。
【００３３】
突出部位８２は、上述のように、ノミナル状態において、フロントカバー２０から外方（側方の外側）に延出する部位である。尚、ノミナル状態とは、設計通りに組み付けられたときの状態である。尚、「ノミナル状態」という用語は、突出部位８２は、衝撃等が加わることで、内方に変位しうるために、かかる変位後の状態と区別することを目的として適宜用いられる。
【００３４】
突出部位８２は、側面枠２２０の外表面と共に、端末装置１の側面における意匠を形成する。意匠性を高めるために、突出部位８２は、好ましくは、周囲の側面枠２２０の外表面に対応した側面形状（例えば周囲の側面枠２２０の外表面に対して連続的な側面形状）を有する。実施例１では、一例として、突出部位８２の外表面（側面）は、同領域における側面枠２２０の外表面に対して、外方に距離ΔＬ１だけオフセットした関係を有する（図１２参照）。距離ΔＬ１は、ノミナル状態における突出部位８２の突出量（第２距離の一例）に対応する。例えば、図１２に示すように、角部における側面枠２２０の外表面の曲率半径をＲ０とすると、突出部位８２の外表面の曲率半径をＲ１は、Ｒ１＝Ｒ０＋ΔＬ１の関係を有する。但し、変形例では、突出部位８２の突出量は、場所に応じて異なってもよい（即ち一定でなくてもよい）が、後述の方向Ｑ（図１２参照）に沿った突出量はΔＬ１とされる。
【００３５】
基部８３は、ＸＹ平面内に延在する。基部８３のＺ１側の表面は、平面状であり、インナカバー６０の取付部６２に対してＺ方向で当接（面接触）する。即ち、基部８３は、インナカバー６０の取付部６２の座面６２１に対して面接触する態様で、インナカバー６０の取付部６２の座面６２１上に着座する。尚、基部８３における外側の縁部に突出部位８２が配置される。
【００３６】
基部８３は、ＸＹ平面に平行な方向でインナカバー６０の当接面６４と対向する端面（内側の端面）８３１を有する。インナカバー６０の当接面６４は、取付部６２からＺ方向に延在し（図９参照）、基部８３の端面８３１は、基部８３の厚み分だけＺ方向に延在し、互いにＺ方向でオーバーラップする。基部８３の端面８３１は、インナカバー６０の当接面６４に対して、外方に距離ΔＣ１だけオフセットした関係を有する（図１２参照）。距離ΔＣ１は、ノミナル状態におけるインナカバー６０と保護部８０との間の隙間の距離（第１距離の一例）に対応する。但し、変形例では、インナカバー６０と保護部８０との間の隙間の距離は、場所に応じて異なってもよい（即ち一定でなくてもよい）が、後述の方向Ｑ（図１２参照）に沿った距離はΔＣ１とされる。
【００３７】
ネジ挿通穴８４は、ネジ２４が挿通される穴である。ネジ挿通穴８４は、ネジ２４の軸部よりも有意に大きい穴であり、長穴である。具体的には、図１２に示すように、ネジ挿通穴８４は、角部の中心を通る方向Ｑを長手方向とする長穴である。角部の中心を通る方向Ｑは、ＸＹ平面内に延在する方向であって、平面視で角部の中心（４５度のライン）を通る方向である。尚、図１２に示す例では、角部は、一定のＲ（曲率半径Ｒ１）が付けられており、方向Ｑは、ＸＹ平面内に延在し且つ曲率半径Ｒ１の中心を通る方向である。
【００３８】
ここで、方向Ｑは、端末装置１に加わり得る各種方向からの衝撃のうち、端末装置１に最もダメージを与えうる方向の１つである。これは、方向Ｑは、上述のように、角部の中心を通り、角部は、角であるが故に点で衝撃を受けやすく、その分だけ衝撃力が集中しやすいためである。従って、端末装置１において方向Ｑの衝撃に対して必要な保護性能が確保できれば、端末装置１において角部に対する衝撃に対する必要な保護性能が実質的に確保されることになる。以下では、方向Ｑを、「衝撃方向Ｑ」と称する。
【００３９】
保護部８０は、図９乃至図１１に示す態様で、インナカバー６０と共にフロントカバー２０に取り付けられる（共締めされる）。具体的には、保護部８０は、まず、図９に示す状態から図１０に示すように、インナカバー６０の取付部６２に載置される。次いで、ネジ２４がネジ挿通穴８４を通ってボス２２に結合される。締結トルク（締付軸力）は、任意であるが、想定される衝撃が衝撃方向Ｑに加わったときに、保護部８０がインナカバー６０に対して内方に変位（摺動）できるような値に設定される。
【００４０】
保護部８０は、インナカバー６０と共にフロントカバー２０に取り付けれたノミナル状態では、図１２に示すように、平面視で、インナカバー６０の当接面６４に対して距離ΔＣ１の隙間Ｃ１を介して対向する。また、同ノミナル状態では、保護部８０の突出部位８２は、図１２に示すように、平面視で、距離ΔＬ１の突出量でフロントカバー２０から外方に突出する。また、同ノミナル状態では、保護部８０は、図１２に示すように、平面視で、ネジ２４の軸部に対して、衝撃方向Ｑで外側に距離ΔＣ２の隙間Ｃ２を有する。
【００４１】
ここで、衝撃方向Ｑでの距離ΔＬ１、距離ΔＣ１、及び距離ΔＣ２は、好ましくは、以下の関係を有する。
関係１：距離ΔＣ１＜距離ΔＬ１
関係２：距離ΔＣ１＜距離ΔＣ２
上述のように、保護部８０の突出部位８２は、側面視で、フロントカバー２０に重ならない領域に延在するので、上記の関係２を有することで、保護部８０は、インナカバー６０に対して衝撃方向Ｑで内側に距離ΔＣ１だけ変位できる。また、上記の関係２を有することで、保護部８０がインナカバー６０に対して衝撃方向Ｑで内側に距離ΔＣ１だけ変位した状態においても、保護部８０がネジ２４の軸部に対して衝撃方向Ｑで離間した状態となる。また、上記の関係１を有することで、保護部８０がインナカバー６０に対して衝撃方向Ｑで内側に距離ΔＣ１だけ変位した状態においても、保護部８０の突出部位８２がフロントカバー２０から外方に突出した状態となる（図１３Ｂ参照）。これにより、保護部８０がインナカバー６０に対して衝撃方向Ｑで内側に距離ΔＣ１変位するような強い衝撃が加わる場合でも、該衝撃が直接作用する部位を、突出部位８２だけに限定できる。尚、保護部８０がインナカバー６０に対して衝撃方向Ｑで内側に距離ΔＣ１変位すると、保護部８０の端面８３１がインナカバー６０の当接面６４に当接するので、保護部８０の更なる内側への変位は実質的に不能となる。
【００４２】
次に、図１３Ａ乃至図１４Ｂを参照して、保護部８０の機能と共に、実施例１の効果について説明する。
【００４３】
図１３Ａは、ノミナル状態における保護部８０とインナカバー６０及びフロントカバー２０の位置関係を示す上面図である。図１３Ｂは、端末装置１の角部に衝撃が加わった状態における保護部８０とインナカバー６０及びフロントカバー２０の位置関係を示す上面図である。図１３Ａ及び図１３Ｂは、バックカバー５０を取り外した状態でリア側から視た端末装置１の角部を示す。図１４Ａ及び図１４Ｂは、衝撃方向Ｑに沿った保護部８０及びインナカバー６０等の概略断面図であり、図１４Ａは、ノミナル状態を示し、図１４Ｂは、端末装置１の角部に衝撃が加わった状態を示す。
【００４４】
図１３Ａには、衝撃方向Ｑに沿った衝撃が矢印Ｆｓ０で模式的に示される。但し、図１３Ａは、衝撃が加わる前の状態を示す。端末装置１の角部が地面等に当たるとき、端末装置１の角部に衝撃が加わる。端末装置１の角部では、上述のように、保護部８０の突出部位８２がフロントカバー２０から外方に突出しているため、衝撃は、フロントカバー２０ではなく、保護部８０の突出部位８２に初期的に加わる。このため、端末装置１の角部に衝撃（矢印Ｆｓ０参照）が加わると、図１３Ｂに示すように、図１３Ａに示す状態から、保護部８０がインナカバー６０に対して衝撃方向Ｑで内側に変位する。このような図１３Ａに示す状態から図１３Ｂに示す状態への変位は、保護部８０が、ネジ２４の頭部座面（締付け座面）との摩擦力、及びインナカバー６０の座面６２１との摩擦力等に抗して実現される。図１４Ａには、摩擦が生じる部位がＧ１〜Ｇ４で示される。かかる摩擦に抗した変位が実現されると、摩擦熱が生じる。従って、衝撃のエネルギの一部は、摩擦熱として消失する。これにより、インナカバー６０に伝達される衝撃成分を低減できる。
【００４５】
また、図１３Ｂに示す状態では、保護部８０の端面８３１がインナカバー６０の当接面６４に当接する。従って、図１３Ｂ及び図１４Ｂに示すように、衝撃は、保護部８０の端面８３１とインナカバー６０の当接面６４との当接部を介して、インナカバー６０に伝達される。ここで、図１３Ｂに示すように、保護部８０の端面８３１とインナカバー６０の当接面６４との当接態様は、点でなく、面である。従って、インナカバー６０は、衝撃を面で受けることができるので、衝撃に対する耐性が良好となる。また、保護部８０の端面８３１及びインナカバー６０の当接面６４は、図１３Ｂに模式的に示すように、湾曲面であるので、インナカバー６０に伝わる衝撃を複数の方向に分散させることができる。これにより、インナカバー６０の衝撃に対する耐性が更に良好となる。
【００４６】
また、保護部８０がインナカバー６０に対して衝撃方向Ｑで内側に距離ΔＣ１変位すると、保護部８０の端面８３１がインナカバー６０の当接面６４に当接するので、保護部８０の更なる内側への変位は実質的に不能となる。即ち、図１３Ｂに示す状態が実質的に最大変位した状態である。従って、保護部８０がインナカバー６０に対して衝撃方向Ｑで内側に最大変位しても、図１３Ｂ及び図１４Ｂに示すように、保護部８０の突出部位８２がフロントカバー２０から外方に突出した状態で留まる。これにより、例えば保護部８０がインナカバー６０に対して衝撃方向Ｑで内側に最大変位したときに保護部８０の突出部位８２がフロントカバー２０と面一になってしまう第１比較構成（図示せず）において生じる不都合を低減できる。即ち、第１比較構成では、保護部８０の突出部位８２がフロントカバー２０と面一になった時点から、衝撃がフロントカバー２０に直接作用する。フロントカバー２０は、耐衝撃性が比較的低い部品があるＬＣＤガラス１２やタッチパネル１１を保持するため、フロントカバー２０への衝撃の直接的な作用は、ＬＣＤガラス１２やタッチパネル１１の破損を起こしやすい。これに対して、実施例１によれば、上述のように、強い衝撃が加わった場合でも保護部８０の突出部位８２がフロントカバー２０から外方に突出した状態で留まる。従って、実施例１によれば、フロントカバー２０への衝撃の直接的な作用が防止され、上記の第１比較構成において生じる不都合を低減できる。
【００４７】
また、実施例１によれば、図１３Ｂに示す状態において、保護部８０は、図１４Ｂにて隙間ΔＲで示すように、ネジ２４の軸部に対して衝撃方向Ｑで離間した状態となる。これにより、例えば保護部８０がインナカバー６０に対して衝撃方向Ｑで内側に最大変位したときに保護部８０がネジ２４の軸部に当接してしまう第２比較構成（図示せず）において生じる不都合を低減できる。即ち、第２比較構成では、保護部８０がネジ２４の軸部に当接した時点から、衝撃がネジ２４の軸部を介してフロントカバー２０に伝わる。ネジ２４の軸部を介したフロントカバー２０への衝撃の伝達は、ＬＣＤガラス１２やタッチパネル１１の破損やネジ２４の破損を起こしやすい。これに対して、実施例１によれば、上述のように、強い衝撃が加わった場合でも保護部８０がネジ２４の軸部に対して衝撃方向Ｑで離間した状態で留まる。従って、実施例１によれば、ネジ２４の軸部を介したフロントカバー２０への衝撃の伝達が防止され、上記の第２比較構成において生じる不都合を低減できる。
【００４８】
尚、上述した実施例１では、保護部８０は、図１２に示すように、平面視で、ネジ２４の軸部に対して、衝撃方向Ｑで外側に距離ΔＣ２の隙間Ｃ２を有するが、他の方向（例えばＸ方向やＹ方向）においても外側に距離ΔＣ２の隙間Ｃ２を有してもよい。
【００４９】
［実施例２］
実施例２による端末装置１Ａは、上述した実施例１による端末装置１に対して、インナカバー６０がインナカバー６０Ａで置換され、且つ、保護部８０が保護部８０Ａで置換された点が異なる。以下では、端末装置１Ａの構成要素のうち、上述した実施例１による端末装置１と同一であってよい構成要素については、同一の参照符号を付して説明を省略する。
【００５０】
図１５は、実施例２による端末装置１Ａの分解斜視図であって、フロント側からの分解斜視図である。
【００５１】
インナカバー６０Ａは、上述した実施例１によるインナカバー６０に対して、保護部８０Ａが一体に形成されている点が異なる。即ち、上述した実施例１によるインナカバー６０は、別体の保護部８０が取り付けられているの対して、実施例２によるインナカバー６０Ａは、保護部８０Ａが一体に形成されている。従って、実施例２による保護部８０Ａは、上述した実施例１による保護部８０に対して、インナカバー６０Ａと一体に形成されている点が異なることになる。
【００５２】
図１６は、リア側から視た端末装置１Ａの一部の分解斜視図であり、バックカバー５０が取り外された状態での斜視図である。
【００５３】
保護部８０Ａは、上述したように、図１６に示すように、インナカバー６０Ａの一部により形成される。保護部８０Ａは、上述した実施例１による保護部８０と同様、端末装置１Ａの落下などで加わり得る端末装置１Ａへの衝撃から、端末装置１Ａを保護する機能を有する。インナカバー６０Ａは、図１６に示すように、保護部８０Ａの領域においてネジ２４によりインナカバー６０Ａに締結される。
【００５４】
保護部８０Ａは、図１６に示すように、好ましくは、端末装置１Ａの４隅の角部のそれぞれに、端末装置１Ａの側面から外方に突出する態様で設けられる。実施例２では、一例として、保護部８０Ａは、端末装置１Ａの４隅の角部のそれぞれに形成される側面枠２２０の切欠き２２２に対応して、４つ設けられる。保護部８０Ａは、図１６に示すように、フロントカバー２０の側面枠２２０の切欠き２２２を介して側面枠２２０よりも内方から側面枠２２０よりも外方（側方の外側）に延出する。従って、保護部８０Ａは、端末装置１Ａの４隅の角部のそれぞれにおいて、図１６に示すように、フロントカバー２０よりも外方（側方の外側）に延出する。即ち、保護部８０Ａは、上述した実施例１による保護部８０と同様、突出部位８２を有する。尚、上述した実施例１で説明したように、突出部位８２は、側面視で、フロントカバー２０に重ならない領域に延在する。
【００５５】
次に、図１７乃至図１９を参照して、保護部８０Ａ、及び保護部８０Ａに関連する構造の更なる詳細について説明する。
【００５６】
図１７は、図１６のＱ部の拡大図であり、図１８は、図１７からネジ２４を取り外した状態の図であり、図１９は、図１６のＰ１部を拡大した上面図である。尚、図１７乃至図１９は、ノミナル状態（設計中立状態）を示す。
【００５７】
保護部８０Ａは、図１８に示すように、突出部位８２と、基部８３Ａと、ネジ挿通穴８４Ａとを含む。尚、基部８３Ａは、インナカバー６０Ａの４隅の角部により形成される。
【００５８】
ネジ挿通穴８４Ａは、ネジ２４が挿通される穴である。ネジ挿通穴８４Ａまわりには、ネジ２４の締結面に当接する座面８５Ａが形成される。ネジ挿通穴８４Ａは、ネジ２４の軸部よりも若干大きい穴であり、例えば図１９に示すように、距離ΔＢの隙間を有する。尚、上述した実施例１で説明したように、ノミナル状態では、保護部８０Ａは、図１９に示すように、平面視で、距離ΔＬ１の突出量でフロントカバー２０から外方に突出する。
【００５９】
ここで、衝撃方向Ｑでの距離ΔＬ１及び距離ΔＢは、好ましくは、以下の関係を有する。
関係３：距離ΔＢ＜距離ΔＬ１
関係４：所定値Ｔｈ＜距離ΔＢ
上記の関係３を有することで、インナカバー６０Ａがフロントカバー２０に対して衝撃方向Ｑで内側に距離ΔＢだけ変位した状態においても、保護部８０Ａの突出部位８２がフロントカバー２０から外方に突出した状態となる。所定値Ｔｈは、端末装置１Ａに加わり得る衝撃のうちの想定される最大の衝撃が加わったときに、インナカバー６０Ａがフロントカバー２０に対して衝撃方向Ｑで内側に変位する量に対応する。所定値Ｔｈは、適合値であり、例えば試験等により決定される。上記の関係４を有することで、インナカバー６０Ａがフロントカバー２０に対して衝撃方向Ｑで内側に距離ΔＢだけ変位した状態においても、インナカバー６０Ａ（ネジ挿通穴８４Ａ）がネジ２４の軸部に対して衝撃方向Ｑで離間した状態となる。
【００６０】
実施例２によっても、保護部８０Ａを備えることで、耐衝撃性が比較的低い部品であるＬＣＤガラス１２やタッチパネル１１を衝撃から保護できる。具体的には、端末装置１Ａの角部では、上述のように、保護部８０Ａの突出部位８２がフロントカバー２０から外方に突出しているため、衝撃は、フロントカバー２０ではなく、保護部８０Ａの突出部位８２に初期的に加わる。また、距離ΔＬ１を距離ΔＢ（＞所定値Ｔｈ）よりも大きく設定することで、インナカバー６０Ａがフロントカバー２０に対して衝撃方向Ｑで内側に最大変位しても、保護部８０Ａの突出部位８２がフロントカバー２０から外方に突出した状態で留まる。これにより、インナカバー６０Ａがフロントカバー２０に対して衝撃方向Ｑで内側に比較的大きく変位するような強い衝撃が加わる場合でも、該衝撃が直接作用する部位を、突出部位８２だけに限定できる。また、距離ΔＢを所定値Ｔｈよりも大きく設定することで、インナカバー６０Ａがフロントカバー２０に対して衝撃方向Ｑで内側に比較的大きく変位するような強い衝撃が加わる場合でも、ネジ２４の軸部を介したフロントカバー２０への衝撃の伝達を防止できる。
【００６１】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００６２】
例えば、上述した実施例１又は実施例２において、保護部８０又は８０Ａの突出部位８２の外側の端面（側方の表面）には、滑り止めのラバーが被覆されてもよい。
【００６３】
また、上述した実施例１又は実施例２において、保護部８０又は８０Ａは、端末装置１又は１Ａの４隅の角部の全てに設けられるが、端末装置１又は１Ａの４隅の角部の一部だけに設けられてもよいし、角部以外の側部領域に設けられてもよい。
【００６４】
また、上述した実施例１では、保護部８０は、インナカバー６０のリア側に設けられるが、インナカバー６０のフロント側に設けられてもよい。
【００６５】
なお、以上の実施例に関し、さらに以下の付記を開示する。
［付記１］
第１部品を支持する第１支持部材と、
前記第１支持部材とは別体であり、前記第１部品よりも耐衝撃性が低い第２部品を保持する第２支持部材と、
前記第１支持部材に設けられ、第１方向で前記第２支持部材よりも外方に延出する保護部とを含み、
前記保護部における前記第２支持部材よりも外方に延出する部位は、前記第１方向に視て前記第２支持部材に重ならない領域に延在する、端末装置。
［付記２］
前記第２部品は、表示装置及びタッチパネルのうちの少なくともいずれか１つであり、
前記第２支持部材は、内部空間を形成する筐体のフロントカバーであり、
前記第１支持部材は、前記内部空間に配置される、付記１に記載の端末装置。
［付記３］
前記第２支持部材は、切欠きを有する側面枠を有し、
前記保護部は、前記切欠きを介して前記第１方向で前記側面枠よりも内方から前記側面枠よりも外方に延出する、付記１又は２に記載の端末装置。
［付記４］
前記側面枠は、当該端末装置における角部に対応する位置に前記切欠きを有する、付記３に記載の端末装置。
［付記５］
前記保護部は、前記第１支持部材に一体に形成される、付記１〜４のうちのいずれか１項に記載の端末装置。
［付記６］
前記保護部は、前記第１方向で前記第１支持部材に対して第１距離の隙間を介して対向する、付記１〜４のうちのいずれか１項に記載の端末装置。
［付記７］
前記保護部及び前記第１支持部材は、それぞれ、前記第１方向で前記第１距離の隙間を介して対向する湾曲面を含む、付記６に記載の端末装置。
［付記８］
前記保護部は、前記第１方向で前記第２支持部材よりも外方に第２距離だけ延出し、前記第２距離は、前記第１距離よりも大きい、付記６又は７に記載の端末装置。
［付記９］
前記第２支持部材は、ネジと結合する雌ネジ部を有し、
前記保護部は、前記ネジが通る貫通穴を有し、前記貫通穴は、前記ネジの軸部に対して前記第１方向で外方に前記第１距離よりも大きい第３距離の隙間を有する、付記６〜８のうちのいずれか１項に記載の端末装置。
［付記１０］
前記第１方向は、当該端末装置の表示面に平行である、付記１〜９のうちのいずれか１項に記載の端末装置。
［付記１１］
前記第１方向は、当該端末装置の角部の側面に対して垂直な方向である、付記１〜９のうちのいずれか１項に記載の端末装置。
［付記１２］
前記保護部は、樹脂材料により形成される、付記１〜１１のうちのいずれか１項に記載の端末装置。
［付記１３］
前記第１部品は、基板及びバッテリを含む、付記１〜１２のうちのいずれか１項に記載の端末装置。
【符号の説明】
【００６６】
１、１Ａ  端末装置
１１  タッチパネル
１２  ＬＣＤガラス
１２  ガラス
２０  フロントカバー
２２  ボス
２４  ネジ
５０  バックカバー
６０、６０Ａ  インナカバー
６２  取付部
６４  当接面
７０  基板
７２  バッテリ
８０、８０Ａ  保護部
８２  突出部位
８３、８３Ａ  基部
８４、８４Ａ  ネジ挿通穴
８５Ａ  座面
２２０  側面枠
２２１  フロント面
２２２  切欠き
２２４  空間
６２１  座面
６２２  ネジ挿通穴
８３１  端面
【図１】
2018029132.tif 000003
【図２】
2018029132.tif 000004
【図３】
2018029132.tif 000005
【図４】
2018029132.tif 000006
【図５】
2018029132.tif 000007
【図６】
2018029132.tif 000008
【図７Ａ】
2018029132.tif 000009
【図７Ｂ】
2018029132.tif 000010
【図８】
2018029132.tif 000011
【図９】
2018029132.tif 000012
【図１０】
2018029132.tif 000013
【図１１】
2018029132.tif 000014
【図１２】
2018029132.tif 000015
【図１３Ａ】
2018029132.tif 000016
【図１３Ｂ】
2018029132.tif 000017
【図１４Ａ】
2018029132.tif 000018
【図１４Ｂ】
2018029132.tif 000019
【図１５】
2018029132.tif 000020
【図１６】
2018029132.tif 000021
【図１７】
2018029132.tif 000022
【図１８】
2018029132.tif 000023
【図１９】
2018029132.tif 000024